(57)【要約】【課題】棚板を備えたベビーベッドとして組み立て使用したり、ベビーベッドとして使用した後に、シングルサークルとして組み替え使用したり、二段等のラックとして組み替え使用したり、赤ちゃんのおむつを交換する時の作業台兼用の三段ラック等として組み替え使用したり、または椅子として組み替え使用したり、さらに上記作業台兼用のラックの作業台（棚板）の高さを変えて使用できるようにすることにある。【解決手段】左側枠１と、右側枠２と、後枠３と、上部前枠４または上部前枠４および下部前枠４ａと、床板５と、二つの棚板６、１５を少なくとも備えたベビーベッドユニットによって、ベビーベッド９、二段ラック１７や三段ラック２３等の複数段のラック、椅子または背もたれ部材１９を設けた椅子１８の何れかを任意に組み立てできるようにした構成である。【選択図】　図６
2004033462.tif 000002
【特許請求の範囲】
【請求項１】
左側枠と、右側枠と、後枠と、上部前枠または上部前枠および下部前枠と、床板と、二つの棚板とを少なくとも備えたベビーベッドユニットによって、
上記の左側枠と右側枠と後枠、および上部前枠または上部前枠と下部前枠とによってベビーベッド枠を組み立て、このベビーベッド枠内の所定箇所に床板を設けるとともに、この床板の下方に棚板を設けることによってベビーベッドを組み立てでき、
または、上記の左側枠と右側枠と後枠、および上部前枠または上部前枠と下部前枠とによってベビーベッド枠を組み立て、このベビーベッド枠内の所定箇所に床板を設けるとともに、この床板の下側の近傍に一方の棚板を設け、さらにこの棚板の下方の所定箇所に他方の棚板を設けけることによってベビーベッドを組み立てでき、
または、上記の左側枠と右側枠と後枠とによってコ字状のラック枠を組み立て、このラック枠内の所定箇所に床板を設けるとともに、この床板の下方に棚板を設けることによって二段ラックを組み立てでき、
または、上記の左側枠と右側枠と後枠とによってコ字状のラック枠を組み立て、このラック枠内の所定箇所に床板を設けるとともに、この床板の上方に一方の棚板を設けるとともに下方に他方の棚板を設けることによって三段ラックを組み立てでき、
または、上記の左側枠と右側枠と後枠とによってコ字状の椅子枠を組み立て、この椅子枠内の所定箇所に床板を設けるとともに、この床板の下方に棚板を設けることによって椅子を組み立てでき、
または、上記の左側枠と右側枠と後枠と上部前枠および下部前枠によって囲繞されたシングルサークルを組み立てできることを特徴とするベビーベッドユニット。
【請求項２】
上記ベビーベッドユニットにさらに背もたれ部材を備え、上記の左側枠と右側枠と後枠とによってコ字状の椅子枠を組み立て、この椅子枠内の所定箇所に床板を設けるとともに、この床板の下方に棚板を設け、さらに床板の後部の後枠に沿って背もたれ部材を設けて、背もたれ付き椅子を組み立てできることを特徴とする請求項１記載のベビーベッドユニット。
【請求項３】
上記椅子枠の上端近傍またはこの上端近傍よりさらに上の位置に選択的に棚板を設けて上記二段ラックまたは三段ラックを組み立てできるようにしたことを特徴とする請求項１または２記載のベビーベッドユニット。
【請求項４】
上記のベビーベッドまたは二段ラックまたは三段ラックまたは椅子に組み立てて、これらの下部に設ける棚板が、摺動機構によって手前に引き出しまた元の位置に戻すことができることを特徴とする請求項１、２または３記載のベビーベッドユニット。
【請求項５】
上記ベビーベッドユニットにさらにキャスターを備え、上記左側枠並びに右側枠の下端の前部および後部に、それぞれ上記キャスターを設けた請求項１、２、３または４記載のベビーベッドユニット。
【発明の詳細な説明】
【０００１】
【発明の属する技術分野】
本発明は、ベビーベッド、ラック、シングルサークルまたは椅子として組み替え使用できるベビーベッドユニットに関するものである。
【０００２】
【従来の技術】
一般に赤ちゃんのいる多くの家庭ではベビーベッドが使用されている。このベビーベッドにも各種のものがあり、各自の好みや各家庭の設置場所の広さ等に応じたものを選択して購入し使用されている。
【０００３】
また以前から、使用したベビーベッドを不要になった時点でラック等に組み替えて再利用できるベビーベッドも販売され多くの家庭で使用されている。
【０００４】
【発明が解決しようとする課題】
しかしながら、組み替えて再利用できる従来のベビーベッドでは、ベビーベッドの下端近傍に棚板を設けられるようにしたものはあっても、中間に設けたベッド床の下側近傍に棚板を設けられるようにしたものはなく、ベビーベッドに寝かせた赤ちゃんをあやしながらタオルや肌着等を取り出したいと思っても、ベッド床の下側近傍の棚板に収納してあるため、一旦、腰を下ろしてタオルや肌着等を取り出し、再び腰を上げて赤ちゃんに対応しなければならず大変であった。
【０００５】
また、従来のベビーベッドでは、ラックに組み替えることができても、赤ちゃんのおむつを立った状態で交換する場合に楽な姿勢でできるように、上段の棚板（作業台として使用する。）を適宜高さにして取り付けできるといった構成のものではなかった。そのため人によっては、棚板（作業台として使用する。）の位置が高かったり低かったりして、無理な姿勢で上記のおむつ交換を行っている人も多い。
【０００６】
本発明は上記のような点に鑑みて開発されたものである。その目的とするところは、容易に衣類等を取り出せる棚板を備えたベビーベッドを組み立てできたり、ベビーベッドとして使用後に、シングルサークルとして組み替え使用したり、二段等のラックとして組み替え使用したり、赤ちゃんのおむつを交換する時の作業台兼用の三段ラックとして組み替え使用したり、または椅子として組み替え使用したり、さらに作業台兼用のラックの作業台（棚板）の高さを変えて使用できるようにしたベビーベッドユニットを提供することにある。
【０００７】
【課題を解決するための手段】
そこで、本発明は上記の目的を有効に達成するために、次のような構成にしてある。すなわち、請求項１記載の本発明のベビーベッドユニットは、左側枠と、右側枠と、後枠と、上部前枠または上部前枠および下部前枠と、床板と、二つの棚板とを少なくとも備えたベビーベッドユニットによって、上記の左側枠と右側枠と後枠、および上部前枠または上部前枠と下部前枠とによってベビーベッド枠を組み立て、このベビーベッド枠内の所定箇所に床板を設けるとともに、この床板の下方に棚板を設けることによってベビーベッドを組み立てでき、または、上記の左側枠と右側枠と後枠、および上部前枠または上部前枠と下部前枠とによってベビーベッド枠を組み立て、このベビーベッド枠内の所定箇所に床板を設けるとともに、この床板の下側の近傍に一方の棚板を設け、さらにこの棚板の下方の所定箇所に他方の棚板を設けけることによってベビーベッドを組み立てでき、　または、上記の左側枠と右側枠と後枠とによってコ字状のラック枠を組み立て、このラック枠内の所定箇所に床板を設けるとともに、この床板の下方に棚板を設けることによって二段ラックを組み立てでき、または、上記の左側枠と右側枠と後枠とによってコ字状のラック枠を組み立て、このラック枠内の所定箇所に床板を設けるとともに、この床板の上方に一方の棚板を設けるとともに下方に他方の棚板を設けることによって三段ラックを組み立てでき、または、上記の左側枠と右側枠と後枠とによってコ字状の椅子枠を組み立て、この椅子枠内の所定箇所に床板を設けるとともに、この床板の下方に棚板を設けることによって椅子を組み立てでき、または、上記の左側枠と右側枠と後枠と上部前枠および下部前枠によって囲繞されたシングルサークルを組み立てできることを特徴とする構成である。
【０００８】
上記の構成のベビーベッドユニットでは、床板の傍に棚板を設けて衣類等を取り出し易いようにしたベビーベッドを組み立てでき、また、二段または三段のラック、椅子、またはシングルサークルに組み替えて使用することができる。勿論、棚板の数によって四段以上のラックを組み立てたり、３枚以上の棚板を備えたベビーベッドまたは椅子を組み立ててもよい。
【０００９】
また、請求項２記載の本発明のベビーベッドユニットは、請求項１記載のベビーベッドユニットの構成において、上記ベビーベッドユニットにさらに背もたれ部材を備え、上記の左側枠と右側枠と後枠とによってコ字状の椅子枠を組み立て、この椅子枠内の所定箇所に床板を設けるとともに、この床板の下方に棚板を設け、さらに床板の後部の後枠に沿って背もたれ部材を設けて、背もたれ付き椅子を組み立てできることを特徴とする構成である。
【００１０】
上記の構成のベビーベッドユニットでは、１枚または２枚の棚板を備えたベビーベッド、二段または三段のラック、椅子、またはシングルサークルに加え、背もたれ部材を備えた椅子も組み立てできる。
【００１１】
また、請求項３記載の本発明のベビーベッドユニットは、請求項１または２記載のベビーベッドユニットの構成において、上記椅子枠の上端近傍またはこの上端近傍よりさらに上の位置に選択的に棚板を設けて上記二段ラックまたは三段ラックを組み立てできるようにしたことを特徴とする構成である。
【００１２】
上記の構成のベビーベッドユニットでは、組み立てられる二段ラックまたは三段ラックの最上段の棚板の取付け位置を選択できるため、この棚板を作業台として使用するのに、作業台高さを使用者の使い易い高さにして楽な姿勢で作業を行うことができる。
【００１３】
また、請求項４記載の本発明のベビーベッドユニットは、請求項１、２または３記載のベビーベッドユニットの構成において、上記のベビーベッドまたは二段ラックまたは三段ラックまたは椅子に組み立てて、これらの下部に設ける棚板が、摺動機構によって手前に引き出しまた元の位置に戻すことができることを特徴とする構成である。
【００１４】
上記の構成のベビーベッドユニットでは、摺動機構によって棚板を引けば簡単に手前に引き出すことができ、また押すことによって元の位置に収納することができるため、衣類等の出し入れ作業が非常に便利である。
【００１５】
また、請求項５記載の本発明のベビーベッドユニットは、請求項１、２、３または４記載のベビーベッドユニットの構成において、キャスターを備え、上記左側枠並びに右側枠の下端の前部および後部に、それぞれ上記キャスターを設けた構成である。
【００１６】
上記の構成のベビーベッドユニットでは、ベビーベッドまたはラックまたは椅子を移動させたい時に、引いたり押したりすることにより、各キャスターが転動して容易にベビーベッド等を移動させることができる。
【００１７】
【発明の実施の形態】
以下、本発明の実施の形態について説明する。
図１〜図１１は本発明に係るベビーベッドユニットによって、ベビーベッド等を組み立てた説明図であり、このベビーベッドユニットは、長方形状の左側枠１および右側枠２と、後枠３と、上部前枠４（および下部前枠４ａ）と、床板５と、棚板６、棚板１５（図５参照）、前桟７、および４個のキャスター８を備えている。
勿論、本発明に係るベビーベッドユニットは、上記の構成部材以外の部品を備えていてもよく、また棚板は３枚以上であってもよい。なお、各構成部材は、ネジまたはボルト、ナット等の接続具によって着脱自在に連結される。したがって、各構成部材の所定箇所には、ネジまたはボルト等が通し易いように貫通孔が開けられている。以下の説明において各構成部材の接続は、上記接続具によって行われることになる。
【００１８】
そこで、先ず上記のベビーベッドユニットの所定の部材によってベビーベッド９を組み立てる場合（図１参照）は、左側枠１と右側枠２と後枠３と前桟７および上部前枠４とによって図示のような長方形状のベビーベッド枠１０を組み立て、このベッド枠１０内の所定位置、例えば中間位置または略中間位置（前桟７を設けた位置）に、水平に床板５を設け、床板５と平行にベッド枠１０の下端近傍に棚板６を設けることによってベビーベッド９を組み立てる。
【００１９】
また、ベビーベッド９の四隅、すなわち、左側枠１並びに右側枠２の下端の前部および後部にそれぞれキャスター８を設けて、ベビーベッド９を簡単に移動させることができるようにするとよい。
【００２０】
また、上記のベビーベッド９の対峙する左側枠１と右側枠２のそれぞれの前枠部材１１側の内面側には、それぞれ縦溝１２が形成してあり、この各縦溝１２に上部前枠４の両側部または係合部材（図示せず）を係合させ、この上部前枠４を上下に移動（図１、図３参照）できるようにしてある。上部前枠４を左側枠１と右側枠２との上半分の位置に位置させておく場合は、各固定ピン１３で上部前枠４を両側枠１、２に固定できるようにしてある。
【００２１】
また、上記した棚板６の両側部には、それぞれ複数のローラ（図示せず）が設けられていて、左側枠１並びに右側枠２のそれぞれの下部枠部材１４の内面側に形成した水平溝（図示せず）に、上記各ローラ（図示せず）を係合させてなる摺動機構を備えている。この摺動機構によって、図２に示すように棚板６を手前に引くことにより引き出すことができ、また押すことによって元の位置に戻すことができる。
【００２２】
なお、この棚板６は、両側部を直接、上記水平溝（図示せず）に摺動可能に係合させて出し入れできるようにしてもよい。また、この棚板６に換えて、図４に示すような下部前枠４ａを棚板として設けてもよい。勿論、棚板６は上記した位置に固定して取付けてもよい。
【００２３】
また、図５に示すように上記したベビーベッド９の棚板６を外すとともに床板５をこの棚板６の位置に取付け、上部前枠４と下部前枠４ａを前枠として取付けることにより、シングルサークルを組み立てることができる。この場合、床板５と各キャスター８を外したシングルサークルとしてもよい。
【００２４】
また、図６に示すように上記のようにして組み立てたベビーベッド９の床板５の下側近傍に別の棚板１５を床板５と平行に設けることにより、二段に棚板６、１５を備えたベビーベッド９を組み立てることができる。
【００２５】
または、図７に示すように上記の左側枠１と右側枠２と後枠３とによってコ字状のラック枠１６を組み立て、このラック枠１６内の中間部または略中間部に床板５を設けるとともに、この床板５の下方でラック枠１６の下端近傍に水平に棚板６を設けることによって二段ラック１７を組み立てることができる。
【００２６】
この二段ラック１７の床板５の上方で、ラック枠１６の上端近傍に棚板１５を設けることによって、図８に示すような三段ラック２３を組み立てることができる。
【００２７】
この場合、棚板１５をラック枠１６の上端近傍に固定できるように、左側枠１と右側枠２の上端近傍に複数の貫通孔２０　（図９参照）が、同一高さ並びに対向する位置に形成されていて、この各貫通孔にネジ２１を外から通して上記棚板１５にねじ込んで、この棚板１５を固定できるようにしてある（図８参照）。このラック枠１６の上端近傍に取付ける棚板１５は、この上端近傍よりさらの上の位置に選択的に取付けできるように、左側枠１並びに右側枠２には、上記した貫通孔２０の位置より上の位置に上記貫通孔２０と同様に貫通孔２２（図９参照）が設けられ、この各貫通孔２２を利用して棚板１５をラック枠１６の上端近傍よりさらに上の位置に取付けられるようにしてある。このことにより立って赤ちゃんのおむつを交換する場合、棚板１５の取付け高さ位置を適宜変えることができ、楽な姿勢でおむつ交換をすることができる。上記の図８の三段ラック２３の棚板１５の上でおむつを替える場合は、棚板１５より上のラック枠１６の部分が防護柵としての働きをして赤ちゃんが棚板１５から転げ落ちるのを防止できる。
【００２８】
また、このベビーベッドユニットでは、図１０に示すように上記した図７の二段ラック１７と同様に、左側枠１と右側枠２と後枠３とによってコ字状の椅子枠１７を組み立て、この椅子枠１７内の中間位置に床板５を設けるとともに、この床板５の下方に棚板６を設けて椅子１８を組み立てることができる。
【００２９】
さらに図１１に示すように床板５の後部の後枠３に沿って背もたれ部材１９を設け、背もたれ部材１９を有する椅子１８を組み立てることができる。
【００３０】
【発明の効果】
このように本発明のベビーベッドユニットでは、床板の下側近傍に棚板を備えたベビーベッドを組み立てることができ、赤ちゃんの衣類等を上記棚板に収納することにより、収納した衣類等が高い位置にあるので衣類等を取り出すときに便利である。また、このベビーベッドが不要になれば一端分解して、二段または三段のラックを組み立てることにより、衣類以外の日常雑貨物を収納して室内を整理・整頓するのに利用できる。また、椅子やシングルサークルに組み替えることにより、ベビーベッド不要後、このベビーベッドを有効に利用することができる。
【００３１】
また、椅子を組み立てる場合に、後枠に沿って背もたれ部材を設けることにより、この背もたれ部材にもたれてより楽な姿勢で腰を掛けることができる。
【００３２】
また、組み立てられる二段ラックまたは三段ラックの最上段の棚板の取付け位置を選択できるため、この棚板を作業台として使用するのに、作業台高さを使い易い高さにして使用でき、赤ちゃんのおむつの交換等の作業を行う場合に楽な姿勢で行うことができる。
【００３３】
また、摺動機構によって棚板を引けば簡単に手前に引き出すことができ、また押すことによって元の位置に収納することができるため、衣類等の出し入れ作業が非常に便利であり、また棚板を引き出すことにより棚板の奥まで衣類等を収納でき、棚板を有効に利用することができる。
【００３４】
また、キャスターを設けたことにより、ベビーベッドまたはシングルサークルまたはラックまたは椅子を移動させたい時に、引いたり押したりすることにより、各キャスターが転動して容易にベビーベッド等を移動させることができ、室内の掃除のときに移動させて掃除をすることができ掃除が迅速に行うことができる。
【００３５】
【図面の簡単な説明】
【図１】本発明のベビーベッドユニットによってベビーベッドを組み立てた場合の説明図である。
【図２】図１のベビーベッドの棚６を引き出した状態の説明図である。
【図３】図１のベビーベッドの上部前枠を下ろした状態の説明図である。
【図４】図１のベビーベッドの棚板を下部前枠で構成した状態の説明図である
【図５】本発明のベビーベッドユニットによってシングルサークルを組み立てた場合の説明図である。
【図６】本発明のベビーベッドユニットによって二段に棚板を備えたベビーベッドを組み立てた場合の説明図である。
【図７】本発明のベビーベッドユニットによって棚板を備えた二段ラックを組み立てた場合の説明図である。
【図８】本発明のベビーベッドユニットによって三段に棚板を備えたラックを組み立てた場合の説明図である。
【図９】本発明のベビーベッドユニットによって上端近傍に最上段の棚板を設けた三段のラックを組み立てた場合の説明図である。
【図１０】本発明のベビーベッドユニットによって椅子を組み立てた場合の説明図である。
【図１１】図１０の椅子に背もたれ部材を備えた説明図である。
【符号の説明】
１　　　左側枠
２　　　右側枠
３　　　後枠
４　　　上部前枠
４ａ　　下部前枠
５　　　床板
６　　　棚板
７　　　前桟
８　　　キャスター
９　　　ベビーベッド
１０　　　ベッド枠
１５　　　棚板
【図１】
2004033462.tif 000003
【図２】
2004033462.tif 000004
【図３】
2004033462.tif 000005
【図４】
2004033462.tif 000006
【図５】
2004033462.tif 000007
【図６】
2004033462.tif 000008
【図７】
2004033462.tif 000009
【図８】
2004033462.tif 000010
【図９】
2004033462.tif 000011
【図１０】
2004033462.tif 000012
【図１１】
2004033462.tif 000013